(57)【要約】【課題】支柱を取り外すことにより送風機部の高さを調整可能な扇風機において、保管中の取外した支柱の端部に設けられた電気接点への埃の堆積を防止する扇風機を得る。【解決手段】本発明の扇風機は、送風機部側嵌合部１１を備えた送風機部１０と、送風機部側嵌合部１１と嵌合する台座側嵌合部２１を備えた台座２０と、一方の端部に台座側嵌合部２１と嵌合する凹型嵌合部３１と、もう一方の端部に送風機部側嵌合部１１と嵌合する凸型嵌合部３２を備え、凹型及び凸型嵌合部３１，３２はそれぞれ電気接点を有している支柱３０と、台座２０は凹型及び凸型嵌合部３１，３２が有している電気接点を覆うように支柱３０を固定する支柱保持部４０を備えていることを特徴としている。【選択図】図２
2015101964.tif 000002
【特許請求の範囲】
【請求項１】
羽根と、前記羽根を駆動する電動機と、前記電動機に電気的に接続された電気接点を有している送風機部側嵌合部を備えている送風機部と、
前記送風機部側嵌合部と嵌合可能な台座側嵌合部を備えている台座と、
一方の端部に前記台座側嵌合部と嵌合可能な第１の嵌合部と、もう一方の端部に前記送風機部側嵌合部と嵌合可能な第２の嵌合部を備え、前記第１及び第２の嵌合部はそれぞれ電気接点を有している支柱と、を備えており、
前記台座は、前記第１及び第２の嵌合部が有している電気接点を覆うように前記支柱を固定する支柱固定手段を備えていることを特徴とする扇風機。
【請求項２】
前記支柱固定手段は、前記第１又は第２の嵌合部の先端と嵌合可能な第１の支柱保持部と、前記第１又は第２の嵌合部の先端のうち前記第１の支柱保持部と嵌合されない方の嵌合部の先端と嵌合可能な第２の支柱保持部であり、
前記第１の支柱保持部と前記第２の支柱保持部は、前記第１の嵌合部の先端から前記第２の嵌合部の先端までと同じ距離に離れて立設される対の関係になっている請求項１に記載の扇風機。
【請求項３】
前記支柱は複数本あり、前記台座は、前記対の関係となっている前記第１の支柱保持部と前記第２の支柱保持部を前記支柱の本数と同じ数だけそれぞれ備えていることを特徴とする請求項２記載の扇風機。
【請求項４】
前記第１及び第２の支柱保持部と、前記台座はそれぞれ別部材であり、
前記台座には、前記第１の支柱保持部に対応した保持部収納溝と、前記第２の支柱保持部に対応した保持部収納溝と、を有しており、
前記第１及び第２の支柱保持部は前記台座との接続箇所を中心に立設する位置から前記第１又は第２の嵌合部が嵌合される側の面が前記保持部収納溝の底面と接する位置まで回動できるよう前記台座に接続されていることを特徴とする請求項２又は３に記載の扇風機。
【請求項５】
前記支柱固定手段は、前記支柱が収納できる開口と深さを有した凹状の溝の支柱収納部であり、
前記支柱を前記支柱収納部に収納した場合、前記第１及び第２の嵌合部は前記支柱収納部の側壁に接することを特徴とする請求項１に記載の扇風機。
【請求項６】
前記支柱収納部の開口は、回動可能な蓋に覆われていることを特徴とする請求項５に記載の扇風機。
【発明の詳細な説明】
【技術分野】
【０００１】
本発明は、扇風機に関するものである。
【背景技術】
【０００２】
近年、より快適な居住空間へのニーズや省エネ意識の高まりから、サーキュレーターで室内空気を循環させることにより部屋の暖房または冷房の効果をより効率的に得ようとする動きが増えてきている。このような中、従来のサーキュレーターだけではなく扇風機もサーキュレーターとして使用できる機能を持たせて、年間を通して使用できる扇風機が求められている。これらの扇風機に求められる一つの機能として、より床付近の空気を効果的に攪拌するために、あるいは高い場所から空気が攪拌できるよう家具などの上に扇風機を置けるようにするために、扇風機の高さをより低くすることが求められている。
【０００３】
従来の一般的な扇風機は、例えば特許文献１のように、スライドパイプがスタンドの支柱部内を上下にスライドする伸縮機構によって、扇風機の高さを調整している。しかし、このような伸縮機構では、扇風機の高さをスタンドの支柱部の高さよりも低い高さに設定することはできない。
【０００４】
そのような課題の解決策として、例えば特許文献２のように、羽根、電動機及びガードを有する扇風機頭部と、扇風機頭部を支持する基台とを繋ぐ支柱を着脱可能にし、更に扇風機頭部と基台を直接取り付け可能にした扇風機がある。このような扇風機は支柱を取り外すことにより、扇風機の高さを従来の伸縮機構よりも低い高さに設定することができる。さらに、取り外した支柱は基台の内面に収納する支持部材を設けることによって、取り外した支柱を保管するため、他に扇風機の支柱を保管する場所が不要であると共に、紛失する恐れがない。
【０００５】
また、支柱を取り外すことにより高さを調節可能な扇風機は、電力を電動機に供給するために、支柱の両端部に電気接点を設けられているものが一般的である。このように支柱の両端部に電気接点を設けることで、支柱を連結すると同時に電気的にも接続することができる。
【先行技術文献】
【特許文献】
【０００６】
【特許文献１】特開２００９−２８１２９９号公報
【特許文献２】実開昭５８−１９１４９４号公報
【発明の概要】
【発明が解決しようとする課題】
【０００７】
しかし、支柱の両端部に電気接点を設けた場合、保管中の支柱の電気接点は露出しているため、容易に塵埃が堆積してしまい、支柱を連結した際に電気接点が接触不具合をきたしてしまう。また、特許文献２のように基台の内面に支柱を収納しても、電気接点そのものを覆う対策を施していないため、やはり容易に電気接点に埃が堆積してしまう。
【０００８】
本発明は上記の問題を鑑みてなされたものであって、支柱を取り外すことにより高さを調節可能な扇風機において、保管中の取り外した支柱の電気接点への埃の堆積を防止する扇風機を得ることを目的とする。
【課題を解決するための手段】
【０００９】
本発明の扇風機は、羽根と、前記羽根を駆動する電動機と、前記電動機に電気的に接続された電気接点を有している送風機部側嵌合部を備えている送風機部と、前記送風機部側嵌合部と嵌合可能な台座側嵌合部を備えている台座と、一方の端部に前記台座側嵌合部と嵌合可能な第１の嵌合部と、もう一方の端部に前記送風機部側嵌合部と嵌合可能な第２の嵌合部を備え、前記第１及び第２の嵌合部はそれぞれ電気接点を有している支柱と、を備えており、前記台座は、前記第１及び第２の嵌合部が有している電気接点を覆うように前記支柱を固定する支柱固定手段を備えていることを特徴としている。
【発明の効果】
【００１０】
本発明の扇風機は、支柱固定手段が、第１及び第２の嵌合部が有している電気接点を覆うように支柱を固定するため、保管中の取り外した支柱の電気接点へ埃が堆積することを防止している。
【図面の簡単な説明】
【００１１】
【図１】実施の形態１の扇風機において、支柱を全て装着した状態を示す正面図である。
【図２】実施の形態１の扇風機において、送風機部、支柱及び台座をそれぞれ分離させた状態を示す正面図である。
【図３】実施の形態１の扇風機の支柱を全て外し、台座に固定した状態を示す正面図である。
【図４】実施の形態１の扇風機の支柱を全て外し、台座に固定した状態を示す側面図である。
【図５】本発明の扇風機の支柱の凹型嵌合部を示す拡大図である。
【図６】本発明の扇風機の支柱の凸型嵌合部を示す拡大図である。
【図７】本発明の扇風機第１の支柱の凹型嵌合部と、第２の支柱の凸型嵌合部を嵌合させた状態を示す拡大図である。
【図８】実施の形態１の扇風機の支柱を全て外し、台座に固定した状態における台座を示す拡大図である。
【図９】実施の形態１の扇風機の支柱を全て外し、台座に固定した状態における台座を示す上面図である。
【図１０】図８におけるＡ−Ａ断面に相当する第１の支柱保持部周辺の断面図である。
【図１１】実施の形態２の扇風機の支柱を全て外し、台座に固定した状態における台座を示す拡大図である。
【図１２】実施の形態２の扇風機の支柱を全て外し、台座に固定した状態における第１の支柱保持部周辺を示す拡大図である。
【図１３】図１２におけるＢ−Ｂ断面に相当する第１の支柱保持部周辺の断面図である。
【図１４】実施の形態２の扇風機の第１の支柱保持部を第１の保持部収納溝に収納した状態を示す拡大図である。
【図１５】実施の形態３の扇風機の台座を示す上面図である。
【図１６】実施の形態３の扇風機の台座を示す側面図である。
【図１７】実施の形態４の扇風機の台座を示す上面図である。
【図１８】実施の形態４の扇風機の台座を示す側面図である。
【図１９】実施の形態４の扇風機の支柱収納部を示す拡大図である。
【図２０】図１７の領域Ｃに相当する蓋の回動機構の拡大図である。
【発明を実施するための形態】
【００１２】
実施の形態１．
図１は実施の形態１の扇風機において、支柱を全て装着した状態を示す正面図である。図２は実施の形態１の扇風機において、送風機部、支柱及び台座をそれぞれ分離させた状態を示す正面図である。図３は、実施の形態１の扇風機の支柱を全て外し、台座に固定した状態を示す正面図である。図４は実施の形態１の扇風機の支柱を全て外し、台座に固定した状態を示す側面図である。扇風機１００は、羽根１２、羽根１２を保護する保護ガード及び羽根１２を駆動する電動機からなる送風機部１０と、送風機部１０を支える台座２０と、送風機部１０及び台座２０を連結させ取り外し可能である円筒状の支柱３０より構成されている。なお、本発明の扇風機１００は円筒状の支柱３０を２本有しているが、これは一例であり、支柱の形状は角柱であっても良く、また支柱の本数は１本もしくは３本以上であっても構わない。
【００１３】
送風機部１０の下部には送風機部側嵌合部１１が下方へ突出して設けられている。また、台座２０の中央には台座側嵌合部２１が上方へ突出して設けられており、台座側嵌合部２１は送風機部側嵌合部１１と嵌合する形状に形成されている。そのため、送風機部側嵌合部１１と台座側嵌合部２１を介して、送風機部１０及び台座２０は接続することができる。
【００１４】
支柱３０は長手方向の片端部には第１の嵌合部である凹型嵌合部３１と、もう一方の片端部には第２の嵌合部である凸型嵌合部３２が設けられている。凹型嵌合部３１は送風機部側嵌合部１１と同様の形状であり、台座側嵌合部２１と嵌合することができる。また、凸型嵌合部３２は台座側嵌合部２１と同様の形状であり、送風機部側嵌合部１１及び凹型嵌合部３１と嵌合する構造に形成されている。このため、送風機部１０と台座２０の間に支柱３０を嵌着することができ、送風機部１０の高さを容易に変更することができる。
【００１５】
例えば、図１では送風機部側嵌合部１１と上側の支柱３０（以下、第１の支柱３０ａと称する）の凸型嵌合部３２（以下、第１の凸型嵌合部３２ａと称する）と嵌合し、第１の支柱３０ａの凹型嵌合部３１（以下、第１の凹型嵌合部３１ａと称する）は下側の支柱３０（以下、第２の支柱３０ｂと称する）の凸型嵌合部３２（以下、第２の凸型嵌合部３２ｂと称す）と嵌合し、第２の支柱３０ｂの凹型嵌合部３１（以下、第２の凹型嵌合部３１ｂと称す）は台座側嵌合部２１と嵌合することによって、送風機部１０を高い位置において使用することができる。
【００１６】
図５は、本発明の扇風機の支柱の凹型嵌合部を示す拡大図である。なお、図５では説明のため、支柱３０を一部透過して凹型嵌合部３１周辺の構造を示している。凹型嵌合部３１は、中央に円柱形状に窪んだ窪み３６が形成されており、凹型形状になっている。窪み３６の底部の中央には、凸型電気接点３３が設けられている。凸型電気接点３３は支柱内部に設けられた配線３５と電気的に接続している。なお、前述のように送風機部側嵌合部１１は凹型嵌合部３１と同様の構造である。以下、説明のため、第１，第２の支柱に設けられた凸型電気接点３３及び配線３５を第１，第２の凸型電気接点３３ａ，３３ｂ及び第１，第２の配線３５ａ，３５ｂとそれぞれ称し、また送風機部側嵌合部１１に設けられた凸型電気接点３３及び配線３５を送風機部側凸型電気接点３３ｃ，送風機部側配線３５ｃとそれぞれ称する。
【００１７】
図６は、本発明の扇風機の支柱の凸型嵌合部を示す拡大図である。なお、図６では説明のため、支柱３０を一部透過して凸型嵌合部３２周辺の構造を示している。凸型嵌合部３２は、中央に円柱形状に突出した突出部３７が形成されており、凸型形状になっている。凸型嵌合部３２の突出部３７には支柱内部に設けられた配線３５と電気的に接続している凹型電気接点３４が設けられている。なお、前述のように台座部側嵌合部２１は凸型嵌合部３２と同様の構造である。以下、説明のため、第１，第２の支柱に設けられた凹型電気接点３４を第１，第２の凹型電気接点３４ａ，３４ｂとそれぞれ称し、台座側嵌合部２１に設けられた凹型電気接点３４と配線３５を台座側凹型電気接点３４ｃ，台座側配線３５ｄと称する。
【００１８】
支柱３０内の配線３５は凸型電気接点３３と凹型電気接点３４の両方に接続されており、具体的には、第１の支柱３０ａ内において第１の凸型電気接点３３ａと第１の凹型電気接点３４ａは第１の配線３５ａによって、第２の支柱３０ｂ内において第２の凸型電気接点３３ｂと第２の凹型電気接点３４ｂは第２の配線３５ｂによって、それぞれ電気的に接続されている。また、送風機部側配線３５ｃは送風機部側凸型電気接点３３ｃと電動機を電気的に接続しており、台座側配線３５ｄは台座側凹型電気接点３４ｃと図示を省略した電源コードを電気的に接続している。
【００１９】
図７は、本発明の扇風機の第１の支柱の凹型嵌合部と、第２の支柱の凸型嵌合部を嵌合させた状態を示す拡大図である。なお、図７では説明のため、支柱３０を一部透過して第１の凹型嵌合部３１ａ周辺と第２の凸型嵌合部３２ｂ周辺の構造を示している。第１の凹型嵌合部３１ａの窪み３６の内径と、第２の凸型嵌合部３２ｂの突出部３７の外径は同じ径になるよう形成されている。また、第１の凹型嵌合部３１ａの窪み３６の深さに対して、第２の凸型嵌合部３２ｂの突出部３７の高さは低くなるよう形成されている。このため、第１の凹型嵌合部３１ａと第２の凸型嵌合部３２ｂは嵌合することができる。また、第１の凹型嵌合部３１ａと第２の凸型嵌合部３２ｂが嵌合する際に、同時に第１の凸型電気接点３３ａと第２の凹型電気接点３４ｂも同時に嵌合し、電気的に接続されるように構成されている。これら第１の凹型嵌合部３１ａ及び第２の凸型嵌合部３２ｂのそれぞれの寸法や電気接点の嵌合は第１の凸型嵌合部３２ａ，第２の凹型嵌合部３１ｂ，送風機部側嵌合部１１及び台座側嵌合部２１も同様の構成となっている。
【００２０】
例えば図１の場合では、台座側凹型電気接点３４ｃと第２の凸型電気接点３３ｂ、第２の凹型電気接点３４ｂと第１の凸型電気接点３３ａ並びに第１の凹型電気接点３４ａと送風機部側凸型電気接点３３ｃがそれぞれ電気的に接続されているため、電動機と電源コードは電気的に接続されている。また、図３の場合では、台座側凹型電気接点３４ｃと送風機部側凸型電気接点３３ｃが接続されているため、電動機と電源コードは電気的に接続されている。このように各嵌合部を形成することによって、送風機部１０、支柱３０及び台座２０を連結させることができ、さらに電動機へ電力を供給することができる。
【００２１】
図８は、実施の形態１の扇風機の支柱を全て外し、台座に固定した状態における台座を示す拡大図である。図９は、実施の形態１の扇風機の支柱を全て外し、台座に固定した状態における台座を示す上面図である。図１０は、図８におけるＡ−Ａ断面に相当する第１の支柱保持部周辺の断面図である。後述するように第１の支柱保持部４０ａと第２の支柱保持部４０ｂは略同一の形状であるため、第２の支柱保持部４０ｂの詳細な図示を省略する。台座２０の上面には、支柱固定手段である支柱保持部４０が、台座２０の上面に複数設けられている。支柱保持部４０は、台座２０の上面から立設している立設部４１と、中空の円柱形状であり一方の底面は立設部４１と接することで閉塞しており、もう一方の底面は開口している円筒部４２より成る。
【００２２】
支柱保持部４０は、さらに第１の支柱保持部４０ａと第２の支柱保持部４０ｂの２種類に分けられ、お互いがそれぞれ対の関係になるように支柱３０の本数と同じ数だけ台座２０の上面に設けられている。ここで、第１，第２の支柱保持部４０ａ，４０ｂの立設部４１を第１，第２の立設部４１ａ，４１ｂと、円筒部４２を第１，第２の円筒部４２ａ、４２ｂとする。対の関係になっている第１の支柱保持部４０ａと第２の支柱保持部４０ｂにおいて、第１の立設部４１ａと第２の立設部４１ｂは支柱３０の凹型嵌合部３１の先端から凸型嵌合部３２の先端までの長さと同じだけ離れ、また、第１の円筒部４２ａの開口側の面と第２の円筒部４２ｂの開口側の面が互いに向き合うように配置されている。
【００２３】
第１の支柱保持部４０ａと第２の支柱保持部４０ｂは円筒部４２の内径が異なる点と、扇風機１００の正面から見て左右反転している点以外は同一の形状である。第１の円筒部４２ａの内径は凸型嵌合部３２の突出部３７の外径と同じ径であり、第１の円筒部４２ａが凸型嵌合部３２の先端を覆うように嵌合することができる。また、第２の円筒部４２ｂの内径は凹型嵌合部３１の外形と同じ径であり、第２の円筒部４２ｂが凸型嵌合部３２の先端を覆うように嵌合することができる。なお、第１の円筒部４２ａの内径が凹型嵌合部３１の外形と同じ径であり、第２の円筒部４２ｂの内径は凸型嵌合部３２の突出部３７の外径と同じ径であっても構わない。
【００２４】
対の関係になっている第１の立設部４１ａと第２の立設部４１ｂは支柱３０の凹型嵌合部３１の先端から凸型嵌合部３２の先端までの長さと同じだけ離れているため、分離させた支柱３０の凹型嵌合部３１の先端と凸型嵌合部３２の先端を、対の関係になっている第１の円筒部４２ａと第２の円筒部４２ｂにそれぞれ嵌合させることによって、第１の立設部４１ａで凸型嵌合部３２の先端を、第２の立設部４１ｂで凹型嵌合部３２を覆った状態で支柱３０を台座２０に固定することができる。なお、第１の立設部４１ａ及び第２の立設部４１ｂ共に、ＡＢＳ樹脂などの弾性変形が可能な素材であるため、支柱３０を支柱保持部４０より着脱する際には対の関係になっている第１の立設部４１ａと第２の立設部４１ｂをそれぞれお互いの間隔が広がる方向に弾性変形させればよい。
【００２５】
このように、支柱保持部４０の立設部４１で凸型嵌合部３２の先端及び凹型嵌合部３１の先端を覆うように支柱３０を固定することにより、凸型電気接点３３及び凹型電気接点３４への埃の堆積を防止することができる。そのため、保管していた支柱３０を連結した際に電気接点が埃の堆積により接触不良を来たす心配が無い。
【００２６】
実施の形態２．
図１１は実施の形態２の扇風機の支柱を全て外し、台座に固定した状態における台座を示す拡大図である。図１２は、実施の形態１の扇風機の支柱を全て外し、台座に固定した状態における第１の支柱保持部周辺を示す拡大図である。図１３は、図１２におけるＢ−Ｂ断面に相当する第１の支柱保持部周辺の断面図である。なお、実施の形態２の扇風機１００は台座２０及び支柱保持部４０以外の構成は、実施の形態１の扇風機１００と同様なので説明を省略する。さらに、図１１、図１２及び図１３では説明のため、台座２０を一部透過して第１の保持部収納溝２２ａ周辺を示している。
【００２７】
台座２０には、新たに支柱保持部４０を収納する保持部収納溝２２が設けられている。また、支柱保持部４０は台座２０とは別部材になっており、保持部収納溝２２において支柱３０を支柱保持部４０に固定した際に支柱３０と平行となる側壁に形成された保持部回動軸受け２３と、円筒部４２の開口側の面を正面とした場合に立設部４１の側面下部に形成された保持部回動軸４３が嵌合することによって、台座２０に支柱保持部４０は回動可能に設置される。ここで、第１，第２の支柱保持部４０ａ，４０ｂを収納する保持部収納溝２２を第１，第２の保持部収納溝２２ａ，２２ｂと称し、また、それぞれに対応する保持部回動軸受け２３と保持部回動軸４３を、第１，第２の保持部回動軸受け２３ａ，２３ｂ、第１，第２の保持部回動軸４３ａ，４３ｂと称する。
【００２８】
図１４は、実施の形態２の扇風機の第１の支柱保持部を第１の保持部収納溝に収納した状態を示す拡大図である。なお、図１４では説明のため、台座２０を一部透過して第１の保持部収納溝２２ａ近辺を示している。第１の支柱保持部４０ａは、第１の円筒部４２ａが開口側の面を第１の保持部収納溝２２ａに向けて回動することができる。また、第１の円筒部４２ａの開口側の面が第１の保持部収納溝２２ａの底面と接触すると、第１の保持部収納溝２２ａに第１の支柱保持部４０ａ全体が収納され、第１の支柱保持部４０ａが台座２０の上面より突出しない。また、第１の支柱保持部４０ａが台座２０の上面に対して垂直に立ち上がったとき、第１の立設部４１ａのうち第１の円筒部４２ａが設けられている面に対して反対側の面と、第１の保持部収納溝２２ａのうち第１の保持部回動軸受け２３ａが設けられた壁面に対して垂直の位置の壁面が接触し、第１の支柱保持部４０ａはそれ以上回動しない。つまり、第１の支柱保持部４０ａは、第１の保持部収納溝２２ａの底面に第１の円筒部４２ａの開口側の面が接触する位置から台座２０の上面に対して第１の立設部４１ａが垂直に立設する位置までの９０度の範囲でのみ回動する。なお、第２の支柱保持部４０ｂ及び第２の保持部収納溝２２ｂは、円筒部４２の径が異なる点と扇風機１００の正面から見て左右反転している点以外は第１の支柱保持部４０ａ及び第１の保持部収納溝２２ａと同様の構成であるため、説明を省略する。
【００２９】
対となっている第１の支柱保持部４０ａ及び第２の支柱保持部４０ｂがお互いに台座２０の上面に対して垂直に立ち上がった場合は、第１の円筒部４２ａ及び第２の円筒部４２ｂは支柱３０の凹型嵌合部３１の先端から凸型嵌合部３２の先端までの長さと同じだけ離れているため、実施の形態１と同様に分離した支柱３０を保持することができる。また、支柱保持部４０は、保持部収納溝２２の底面に円筒部４２の開口側の面が接触する位置から台座２０の上面に対して立設部４１が垂直に立設する位置までの９０度の範囲でのみ回動するため、台座２０の上面に対して立設部４１が垂直に立設する場合は、第１の立設部４１ａと第２の立設部４１ｂをそれぞれお互いの間隔が広がる方向に弾性変形させることができ、容易に支柱３０を支柱保持部４０に着脱できる。
【００３０】
このように支柱保持部４０と保持部収納溝２２を構成することで、実施の形態１の効果はもちろん、支柱保持部４０に支柱３０を保持させないときには、支柱保持部４０を保持部収納溝２２に収納することができ、台座からの突出物が無くなり、外観を損なうことが無い。
【００３１】
実施の形態３
図１５は、実施の形態３の扇風機の台座を示す上面図である。図１６は、実施の形態２の扇風機の台座を示す側面図である。実施の形態３の扇風機では、支柱固定手段に当たる機構として、支柱保持部４０の代わりに支柱収納部５０を設けた以外の構成は実施の形態１と同様であるため、説明を省略する。なお、図１６では説明のため、台座２０を一部透過して、支柱収納部５０周辺を示している。
【００３２】
台座２０の上面には凹状の支柱収納部５０が設けられている。支柱収納部５０は分離可能な支柱３０を収納できる開口と深さを有しており、分離した支柱３０を全て収納することができる。ただし、支柱３０を収納した際に凸型嵌合部３２の先端及び凹型嵌合部３１の先端は支柱収納部５０の側壁とそれぞれ接している。そのため、支柱収納部５０に収納した支柱３０の凸型嵌合部３２の先端と凹型嵌合部３１の先端は支柱収納部５０の側壁で塞がれるため、凸型電気接点３３及び凹型電気接点３４への埃の堆積を防止することができる。
【００３３】
このように支柱収納部５０を設けることによって、実施の形態１の効果はもちろん、支柱３０を台座に固定していても、台座から突出物を無くすことができ、外観を損なうことが無い。
【００３４】
また、実施の形態３では、支柱収納部５０は一箇所にしか設けられていないが、これに限らず、支柱収納部を複数個設け、それぞれの支柱収納部で支柱を収納するなど、分離した支柱３０を全て収納できれば良い。
【００３５】
実施の形態４
図１７は、実施の形態４の扇風機の台座を示す上面図である。図１８は、実施の形態２の扇風機の台座の支柱収納部を視認可能に透過させた側面図である。図１９は、実施の形態２の扇風機の支柱収納部を示す拡大図である。図２０は図１７の領域Ｃに相当する蓋の回動機構の拡大図である。なお、図１８では説明のため、台座２０を一部透過して、支柱収納部５０周辺を示している。実施の形態４の扇風機では、新たに蓋５１と蓋５１を回動及び固定させる構成を設けた以外の構成は実施の形態３と同様であるため、説明を省略する。
【００３６】
支柱収納部５０の開口には、開口全体を覆うことができる蓋５１が設けられている。さらに蓋５１の回動機構として、蓋５１において蓋５１が回動する際の回転軸に対して垂直の位置にある側壁には蓋回動軸５２と、支柱収納部５０において蓋５１を取り付けた際に蓋回動軸５２と対応する位置に蓋回動軸受け５３がそれぞれ設けられている。この蓋回動軸５２と蓋回動軸受け５３が嵌合することにより、蓋５１は回動可能に装着され、支柱収納部５０は開閉が可能となっている。
【００３７】
また、蓋５１のうち回動時に先端となる部分には、Ｕ字型の変形部５４と、固定爪５５が設けられており、また支柱収納部５０には固定爪５５と対応する位置に爪穴５６が設けられている。固定爪５５と爪穴５６が係合することで蓋５１は固定され、両者の係合が離れる方向に変形部５４を弾性変形させることで蓋５１の固定が解除され蓋５１を回動することができる。なお、この蓋５１の固定機構は一例であり、例えば蓋と台座に極性の異なる磁石を設け、磁気的に固定しても良い。
【００３８】
このように蓋５１及び蓋５１を回動及び固定させる構成を設けたことで、実施の形態３の効果はもちろん、蓋５１によって支柱収納部５０を覆うことができ、支柱３０を未収納時には支柱収納部５０の底面への埃の堆積や、支柱３０を収納時には支柱３０の側面への埃の堆積を防ぐことができる。また、蓋５１によって台座２０の上面が平坦になるため外観を損ねない。
【符号の説明】
【００３９】
１０  送風機部、１１  送風機部側嵌合部、２０  台座、２１  台座側嵌合部、２２  保持部収納溝、２２ａ  第１の保持部収納溝、２２ｂ  第２の保持部収納溝、２３  保持部回動軸受け、２３  第１の保持部回動軸受け、２３ｂ  第２の保持部回動軸受け、３０  支柱、３０ａ  第１の支柱、３０ｂ  第２の支柱、３１  凹型嵌合部、３１ａ  第１の凹型嵌合部、３１ｂ  第２の凹型嵌合部、３２  凸型嵌合部、３２ａ  第１の凸型嵌合部、３２ｂ  第２の凸型嵌合部、３３  凸型電気接点、３３ａ  第１の凸型電気接点、３３ｂ  第２の凸型電気接点、３３ｃ  送風機部側凸型電気接点、３４  凹型電気接点、３４ａ  第１の凹型電気接点、３４ｂ  第２の凹型電気接点、３４ｃ  台座側凹型電気接点、３５  配線、３５ａ  第１の配線、３５ｂ  第２の配線、３５ｃ  送風機部側配線、３５ｄ  台座側配線、３６  窪み、３７  突出部、４０  支柱保持部、４０ａ  第１の支柱保持部、４０ｂ  第２の支柱保持部、４１  立設部、４１ａ  第１の立設部、４１ｂ  第２の立設部、４２  円筒部、４２ａ  第１の円筒部、４２ｂ  第２の円筒部、４３  保持部回動軸、４３  第１の保持部回動軸、４４  第２の保持部回動軸、５０  支柱収納部、５１  蓋、５２  蓋回動軸、５３  蓋回動軸受け、５４  変形部、５５  固定爪、５６  爪穴、１００  扇風機
【図１】
2015101964.tif 000003
【図２】
2015101964.tif 000004
【図３】
2015101964.tif 000005
【図４】
2015101964.tif 000006
【図５】
2015101964.tif 000007
【図６】
2015101964.tif 000008
【図７】
2015101964.tif 000009
【図８】
2015101964.tif 000010
【図９】
2015101964.tif 000011
【図１０】
2015101964.tif 000012
【図１１】
2015101964.tif 000013
【図１２】
2015101964.tif 000014
【図１３】
2015101964.tif 000015
【図１４】
2015101964.tif 000016
【図１５】
2015101964.tif 000017
【図１６】
2015101964.tif 000018
【図１７】
2015101964.tif 000019
【図１８】
2015101964.tif 000020
【図１９】
2015101964.tif 000021
【図２０】
2015101964.tif 000022